【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
通信チャネルを介して候補コードワードを受信するステップと、
前記候補コードワードがポーラ符号を使用して符号化されていることに少なくとも部分的に基づいて、前記候補コードワードを復号するための復号仮説を識別するステップであって、前記復号仮説が、複数の情報ビットに対応する前記ポーラ符号の複数の情報ビットロケーションと、複数の凍結ビットに対応する前記ポーラ符号の複数の凍結ビットロケーションとに関連付けられる、ステップと、
前記識別された復号仮説に少なくとも部分的に基づいて、前記候補コードワードに対して復号プロセスを実行するステップであって、前記復号プロセスが、前記複数の凍結ビットロケーションの少なくともサブセットの各凍結ビットロケーションに対して、
前記各凍結ビットロケーションに対する復号経路のセットに関するビットメトリックと、前記複数の凍結ビットロケーションの前記少なくとも前記サブセットの先行するビットメトリックとに少なくとも部分的に基づいて、かつ前記複数の情報ビットロケーションに関するビットメトリックに依存せずに、復号経路の前記セットに関する凍結ビット経路メトリックを判定するステップであって、
凍結ビットメトリックまたは前記凍結ビット経路メトリックは、信頼性情報に基づいて正規化される、ステップと、
復号経路の前記セットの各々に関する前記凍結ビット経路メトリックと、しきい値凍結ビット経路メトリックとの比較に少なくとも部分的に基づいて、復号経路の前記セットのサブセットを廃棄するステップと
を含む、ステップと、
前記復号プロセスの結果に少なくとも部分的に基づいて、前記候補コードワードの前記情報ビットを処理すべきかどうかを判定するステップと
を含む、方法。
【請求項２】
前記復号プロセスを実行するステップが、前記各凍結ビットロケーションに対して、
前記各凍結ビットロケーションに対する復号経路の前記セットに関する前記ビットメトリックと、しきい値ビットメトリックとの比較に少なくとも部分的に基づいて、復号経路の前記セットの前記サブセットを廃棄するステップ
をさらに含む、請求項1に記載の方法。
【請求項３】
復号経路の前記セットに関する前記凍結ビット経路メトリックを前記判定するステップが、
前記各凍結ビットロケーションに対応するビットロケーションおよび前記複数の凍結ビットロケーションの前記少なくとも前記サブセットの前記先行するビットロケーションの数、
前記各凍結ビットロケーションに対応するビットロケーションおよび前記複数の凍結ビットロケーションの前記少なくとも前記サブセットの前記先行するビットロケーションに関する信頼性情報、または
前記候補コードワードに関する対数尤度比(LLR)絶対値の総計
に少なくとも部分的に基づいて、前記凍結ビット経路メトリックを判定するステップ
をさらに含む、請求項1に記載の方法。
【請求項４】
前記各凍結ビットロケーションに対して、前記凍結ビット経路メトリックが、前記各凍結ビットロケーションに関する前記ビットメトリックと、前記複数の凍結ビットロケーションの前記少なくとも前記サブセットの前記先行するビットメトリックとの和に少なくとも部分的に基づいて判定される、請求項1に記載の方法。
【請求項５】
前記復号プロセスを実行するステップが、前記各凍結ビットロケーションに対して、
廃棄されていない復号経路の前記セットの各々に関する第1の候補経路メトリックを判定するステップ
をさらに含む、請求項1に記載の方法。
【請求項６】
前記情報ビットを処理すべきかどうかを判定するステップが、
復号経路の前記セットのすべての復号経路が廃棄されていると判定するステップと、
前記候補コードワードの復号を終了するステップと
を含む、請求項1に記載の方法。
【請求項７】
前記情報ビットを処理すべきかどうかを判定するステップが、
前記複数の凍結ビットロケーションのすべてに対する前記復号プロセスに続いて、復号経路の前記セットの少なくとも1つの復号経路が廃棄されていないと判定するステップと、
前記少なくとも1つの復号経路に少なくとも部分的に基づいて、前記情報ビットを識別するステップと、
前記識別に少なくとも部分的に基づいて、前記情報ビットを処理するステップと
を含む、請求項1に記載の方法。
【請求項８】
前記複数の凍結ビットロケーションの前記サブセットが、前記復号仮説、または前記複数の凍結ビットロケーションに関する信頼性情報に少なくとも部分的に基づいて、評価のために選択される、請求項1に記載の方法。
【請求項９】
ワイヤレス通信のための装置であって、
通信チャネルを介して候補コードワードを受信するための手段と、
前記候補コードワードがポーラ符号を使用して符号化されていることに少なくとも部分的に基づいて、前記候補コードワードを復号するための復号仮説を識別するための手段であって、前記復号仮説が、複数の情報ビットに対応する前記ポーラ符号の複数の情報ビットロケーションと、複数の凍結ビットに対応する前記ポーラ符号の複数の凍結ビットロケーションとに関連付けられる、手段と、
前記識別された復号仮説に少なくとも部分的に基づいて、前記候補コードワードに対して復号プロセスを実行するための手段であって、前記複数の凍結ビットロケーションの少なくともサブセットの各凍結ビットロケーションに対して、
前記各凍結ビットロケーションに対する復号経路のセットに関するビットメトリックと、前記複数の凍結ビットロケーションの前記少なくとも前記サブセットの先行するビットメトリッとクに少なくとも部分的に基づいて、かつ前記複数の情報ビットロケーションに関するビットメトリックに依存せずに、復号経路の前記セットに関する凍結ビット経路メトリックを判定するための手段であって、
凍結ビットメトリックまたは前記凍結ビット経路メトリックは、信頼性情報に基づいて正規化される、手段と、
復号経路の前記セットの各々に関する前記凍結ビット経路メトリックと、しきい値凍結ビット経路メトリックとの比較に少なくとも部分的に基づいて、復号経路の前記セットのサブセットを廃棄するための手段と
を含む、手段と、
前記復号プロセスの結果に少なくとも部分的に基づいて、前記候補コードワードの前記情報ビットを処理すべきかどうかを判定するための手段と
を含む、装置。
【請求項１０】
前記復号プロセスを実行するための手段が、前記各凍結ビットロケーションに対する復号経路の前記セットに関する前記ビットメトリックと、しきい値ビットメトリックとの比較に少なくとも部分的に基づいて、復号経路の前記セットの前記サブセットを廃棄する、請求項9に記載の装置。
【請求項１１】
前記各凍結ビットロケーションに対応するビットロケーションおよび前記複数の凍結ビットロケーションの前記少なくとも前記サブセットの前記先行するビットロケーションの数、
前記各凍結ビットロケーションに対応するビットロケーションおよび前記複数の凍結ビットロケーションの前記少なくとも前記サブセットの前記先行するビットロケーションに関する信頼性情報、または
前記候補コードワードに関する対数尤度比(LLR)絶対値の総計
に少なくとも部分的に基づいて、前記凍結ビット経路メトリックを判定するための手段
をさらに含む、請求項9に記載の装置。
【請求項１２】
前記各凍結ビットロケーションに対して、前記凍結ビット経路メトリックが、前記各凍結ビットロケーションに関する前記ビットメトリックと、前記複数の凍結ビットロケーションの前記少なくとも前記サブセットの前記先行するビットメトリックとの和に少なくとも部分的に基づいて判定される、請求項9に記載の装置。
【請求項１３】
前記復号プロセスを実行するための手段が、
廃棄されていない復号経路の前記セットの各々に関する第1の候補経路メトリックを判定する、請求項9に記載の装置。
【請求項１４】
前記復号プロセスを実行するための手段が、
復号経路の前記セットのすべての復号経路が廃棄されていると判定し、
前記候補コードワードの復号を終了する、請求項9に記載の装置。
【請求項１５】
前記復号プロセスを実行するための手段が、
前記複数の凍結ビットロケーションのすべてに対する前記復号プロセスに続いて、復号経路の前記セットの少なくとも1つの復号経路が廃棄されていないと判定し、
前記少なくとも1つの復号経路に少なくとも部分的に基づいて、前記情報ビットを識別し、
前記識別に少なくとも部分的に基づいて、前記情報ビットを処理する、請求項9に記載の装置。